(57)【要約】      （修正有）【課題】プラスチック材質からなる傘柄と金属材質からなる中棒の分離が実現され、ゴミの分別が実践しやすくなる傘柄の組立構造を提供する。【解決手段】組立構造は、中棒及び傘柄を含み、傘柄の接続端には中棒の端部が挿入される接続空間が設けられ、傘柄と中棒の間には接続部６と挿接部７からなる挿接部材を含む第１接続機構が設けられ、中棒は第１接続機構によって取り外し可能に接続空間内に装着される。【選択図】図２
0003215749.tif 000002
【実用新案登録請求の範囲】
【請求項１】
中棒（１）、傘柄（２）を含む傘柄の組立構造において、
前記傘柄（２）の接続端には中棒（１）の端部が挿入される接続空間（３）が設けられ、傘柄（２）と中棒（１）の間には第１接続機構が設けられ、前記中棒（１）は第１接続機構によって取り外し可能に接続空間（３）内に装着されることを特徴とする傘柄の組立構造。
【請求項２】
前記第１接続機構は、挿接部材（４）、傘柄（２）に設けられる第１貫通孔（５）、中棒（１）に設けられる第２貫通孔を含み、前記挿接部材（４）は、第１貫通孔（５）と第２貫通孔を順に貫通することで中棒（１）を接続空間（３）内に固定可能であることを特徴とする請求項１記載の傘柄の組立構造。
【請求項３】
更に、傘柄（２）の接続端に設けられる位置決め機構を含み、前記位置決め機構は、ろくろ（２３）、位置決めキー（１０）、傘柄（２）の側壁に設けられる開口（１２）を含み、前記位置決めキー（１０）は開口（１２）から接続空間（３）に伸入可能であり、位置決めキー（１０）と傘柄（２）の間には緩衝材（１１）が設けられ、位置決めキー（１０）とろくろ（２３）の間には、係合及び係接を可能とする位置規制部材が設けられ、ろくろ（２３）が傘柄（２）の端部において下向きに位置決めキー（１０）を押圧すると、位置規制部材を介してろくろ（２３）と位置決めキー（１０）の接続が実現されることを特徴とする請求項１記載の傘柄の組立構造。
【請求項４】
前記位置決めキー（１０）の外側壁と傘柄（２）の内側壁との間には互いに組み合わされる係合片（１５）と凹溝（１６）が設けられ、前記係合片（１５）と凹溝（１６）のうち一方は位置決めキー（１０）の外側壁に、他方は傘柄（２）の内側壁に設けられ、位置決めキー（１０）が押圧される際に、前記係合片（１５）は凹溝（１６）内で移動可能であることを特徴とする請求項３記載の傘柄の組立構造。
【請求項５】
前記ろくろ（２３）と傘柄（２）の間には、係合及び係接を可能とする突起（１７）と凹口（１８）が設けられ、前記突起（１７）と凹口（１８）のうち一方はろくろ（２３）に設けられ、他方は傘柄（２）に設けられることを特徴とする請求項３記載の傘柄の組立構造。
【請求項６】
請求項３〜５のいずれか１項に記載の傘柄の組立構造が設けられ、更に、主傘骨（１９）、副傘骨（２０）、動作可能に中棒（１）に対して順に覆設される中ろくろ（２１）及びバネ（２２）を含み、前記主傘骨（１９）の端部は中棒（１）にヒンジ接続され、副傘骨（２０）は一端が主傘骨（１９）にヒンジ接続され、他端が中ろくろ（２１）にヒンジ接続され、前記ろくろ（２３）は中棒（１）に覆設され、副傘骨（２０）とろくろ（２３）の間には第２接続機構が設けられ、前記副傘骨（２０）とろくろ（２３）は第２接続機構によって取り外し可能に接続され、中棒（１）には位置規制機構が設けられ、ろくろ（２３）が中棒（１）に沿って上向きに副傘骨（２０）まで移動し、これを持ち上げようとする場合、前記位置規制機構はろくろ（２３）の上方移動の継続を阻止可能であり、位置規制機構による位置規制が解除されると、ろくろ（２３）は中棒（１）に沿って上方移動を継続し、前記第２接続機構が自動的に解錠されることを特徴とする傘。
【請求項７】
前記位置規制機構は中棒（１）に係接可能なＵ型覆設管（２４）であり、Ｕ型覆設管（２４）が受ける外力がＵ型覆設管（２４）と中棒（１）との係接力を超えた場合、前記Ｕ型覆設管（２４）は中棒（１）から離脱可能となることを特徴とする請求項６記載の傘。
【請求項８】
前記第２接続機構は、副傘骨（２０）にヒンジ接続される掛接部材（２６）と、ろくろ（２３）に設けられる開口下向きの掛接溝（２７）を含み、前記掛接部材（２６）は、取り外し可能な接続を実現するよう掛接溝（２７）に掛入可能であり、位置規制機構による位置規制が解除されると、ろくろ（２３）が中棒（１）に沿って上方に移動することで、前記掛接部材（２６）は掛接溝（２７）から下方に離脱可能となることを特徴とする請求項６記載の傘。
【請求項９】
更に、動作可能に中棒（１）に覆設される中継部材（２８）を含み、前記中継部材（２８）は中ろくろ（２１）とバネ（２２）の間に設けられることを特徴とする請求項６記載の傘。
【請求項１０】
更に、傘生地（２９）、傘生地（２９）の上端に設けられる石突（３０）、及び傘生地（２９）の下端に設けられる複数の露先（３１）を含み、前記石突（３０）は中棒（１）の上端に覆設可能であり、露先（３１）は主傘骨（１９）の端部に挿入可能であることを特徴とする請求項６記載の傘。
【考案の詳細な説明】
【技術分野】
【０００１】
本考案は傘の技術分野に関し、特に、傘柄の組立構造及び傘に関する。
【背景技術】
【０００２】
傘は風雨を遮るための日用品として生活の至る所で散見される。傘は、一般的に、傘柄、傘骨及び傘生地を含む。従来技術では、傘柄と傘骨の中棒が例えばリベット接合により固定接続されているため、取り外し可能性を有さない。そのため、傘を廃棄する際にはプラスチック材質からなる傘柄と金属材質からなる傘骨を同じゴミ箱に一括して投入することになり、ゴミの分別回収を実現しにくく、環境理念とはかけ離れている。
【考案の概要】
【考案が解決しようとする課題】
【０００３】
従来技術の瑕疵を解消すべく、本考案は、構造が合理的で巧みに設計されており、着脱が容易な傘柄の組立構造及び傘を提供する。
【課題を解決するための手段】
【０００４】
本考案では、技術的課題を解決するために以下の技術方案を用いる。
【０００５】
傘柄の組立構造であって、中棒及び傘柄を含み、前記傘柄の接続端には中棒の端部が挿入される接続空間が設けられ、傘柄と中棒の間には第１接続機構が設けられ、前記中棒は第１接続機構によって取り外し可能に接続空間内に装着される。
【０００６】
好ましくは、前記第１接続機構は、挿接部材、傘柄に設けられる第１貫通孔、中棒に設けられる第２貫通孔を含み、前記挿接部材は、第１貫通孔と第２貫通孔を順に貫通することで中棒を接続空間内に固定可能である。
【０００７】
好ましくは、更に、傘柄の接続端に設けられる位置決め機構を含み、前記位置決め機構は、ろくろ、位置決めキー、傘柄の側壁に設けられる開口を含み、前記位置決めキーは開口から接続空間に伸入可能であり、位置決めキーと傘柄の間には緩衝材が設けられ、位置決めキーとろくろの間には、係合及び係接を可能とする位置規制部材が設けられ、ろくろが傘柄の端部において下向きに位置決めキーを押圧すると、位置規制部材を介してろくろと位置決めキーの接続が実現される。
【０００８】
好ましくは、前記位置決めキーの外側壁と傘柄の内側壁との間には互いに組み合わされる係合片と凹溝が設けられ、前記係合片と凹溝のうち一方は位置決めキーの外側壁に、他方は傘柄の内側壁に設けられ、位置決めキーが押圧される際に、前記係合片は凹溝内で移動可能である。
【０００９】
好ましくは、前記ろくろと傘柄の間には、係合及び係接を可能とする突起と凹口が設けられ、前記突起と凹口のうち一方はろくろに設けられ、他方は傘柄に設けられる。
【００１０】
傘であって、上記の傘柄の組立構造が設けられ、更に、主傘骨、副傘骨、動作可能に中棒に対して順に覆設される中ろくろ及びバネを含み、前記主傘骨の端部は中棒にヒンジ接続され、副傘骨は一端が主傘骨にヒンジ接続され、他端が中ろくろにヒンジ接続され、前記ろくろは中棒に覆設され、副傘骨とろくろの間には第２接続機構が設けられ、前記副傘骨とろくろは第２接続機構によって取り外し可能に接続され、中棒には位置規制機構が設けられ、ろくろが中棒に沿って上向きに副傘骨まで移動し、これを持ち上げようとする場合、前記位置規制機構はろくろの上方移動の継続を阻止可能であり、位置規制機構による位置規制が解除されると、ろくろは中棒に沿って上方移動を継続し、前記第２接続機構が自動的に解錠される。
【００１１】
好ましくは、前記位置規制機構は中棒に係接可能なＵ型覆設管であり、Ｕ型覆設管が受ける外力がＵ型覆設管と中棒との係接力を超えた場合、前記Ｕ型覆設管は中棒から離脱可能となる。
【００１２】
好ましくは、前記第２接続機構は、副傘骨にヒンジ接続される掛接部材と、ろくろに設けられる開口下向きの掛接溝を含み、前記掛接部材は、取り外し可能な接続を実現するよう掛接溝に掛入可能であり、位置規制機構による位置規制が解除されると、ろくろが中棒に沿って上方に移動することで、前記掛接部材は掛接溝から下方に離脱可能となる。
【００１３】
好ましくは、更に、動作可能に中棒に覆設される中継部材を含み、前記中継部材は中ろくろとバネの間に設けられる。
【００１４】
好ましくは、更に、傘生地、傘生地の上端に設けられる石突、及び傘生地の下端に設けられる複数の露先を更に含み、前記石突は中棒の上端に覆設可能であり、露先は主傘骨の端部に挿入可能である。
【考案の効果】
【００１５】
本考案は、次の有益な効果を有する。即ち、前記中棒が第１接続機構によって取り外し可能に接続空間内に装着されるため、傘柄と中棒が取り外し可能性を有する。これにより、プラスチック材質からなる傘柄と金属材質からなる中棒の分離が実現されることから、ゴミの分別という環境理念を実践しやすくなる。
【００１６】
以下に、図面と実施例を組み合わせて本考案につき更に詳細に説明する。
【図面の簡単な説明】
【００１７】
【図１】図１は、本考案における傘柄の組立構造を示す組立図である。
【図２】図２は、本考案における傘柄の組立構造の分解図１である。
【図３】図３は、本考案における傘柄の組立構造の分解図２である。
【図４】図４は、本考案における傘柄の組立構造の断面図である。
【図５】図５は、本考案における傘の構造図である。
【図６】図６は、本考案における第２接続機構の構造図である。
【図７】図７は、本考案における位置規制機構の構造図である。
【図８】図８は、本考案の傘生地、石突及び露先を示す構造図である。
【考案を実施するための形態】
【００１８】
図１〜図６を参照して、図示するように、傘柄の組立構造は、中棒１及び傘柄２を含む。前記傘柄２の接続端には中棒１の端部が挿入される接続空間３が設けられている。傘柄２と中棒１の間には第１接続機構が設けられており、前記中棒１は第１接続機構によって取り外し可能に接続空間３内に装着される。
【００１９】
本考案では、前記中棒１が第１接続機構によって取り外し可能に接続空間３内に装着されるため、傘柄２と中棒１が取り外し可能性を有する。これにより、プラスチック材質からなる傘柄２と金属材質からなる中棒１の分離が実現されることから、ゴミの分別という環境理念を実践しやすくなる。
【００２０】
前記第１接続機構は、挿接部材４、傘柄２に設けられる第１貫通孔５、中棒１に設けられる第２貫通孔を含み、前記挿接部材４は、第１貫通孔５と第２貫通孔を順に貫通することで中棒１を接続空間３内に固定可能である。
【００２１】
本実施例において、前記挿接部材４は、接続部６と、接続部６に設けられる少なくとも１つの挿接部７を含む。また、傘柄２の側壁には接続部６を収容する凹陥部８が設けられている。接続部６が凹陥部８内に配置されると、前記挿接部７は、第１貫通孔５と第２貫通孔を順に貫通することで中棒１を接続空間３内に固定可能となり、これにより中棒１と傘柄２の接続が実現される。なお、挿接部７の数は１つであってもよいし、２つ或いは複数としてもよい。また、挿接部７の長さは同一としてもよいし、異なっていてもよい。挿接部材４を傘柄２から取り出すと、中棒１は上方に向かって傘柄２から引き出し可能となる。このほか、挿接部７を凹陥部８から取り出しやすいよう、前記凹陥部８の上縁には付勢部９が凹陥するよう形成されている。
【００２２】
図２及び図３に示すように、本考案は傘柄２の接続端に設けられる位置決め機構を更に含む。前記位置決め機構は、ろくろ２３、位置決めキー１０、傘柄２の側壁に設けられる開口１２を含む。前記位置決めキー１０は開口１２から接続空間３に伸入可能であり、位置決めキー１０と傘柄２の間には緩衝材１１が設けられている。また、位置決めキー１０とろくろ２３の間には、係合及び係接を可能とする位置規制部材が設けられている。ろくろ２３が傘柄２の端部において下向きに位置決めキー１０を押圧すると、位置規制部材を介してろくろ２３と位置決めキー１０の接続が実現される。
【００２３】
本実施例において、前記位置規制部材は、ろくろ２３の側壁に開設される接続口１３と、位置決めキー１０の内側壁に設けられる接続片１４である。なお、緩衝材１１としては、バネ又はシリカゲル等の弾性材質からなる緩衝ブロックが可能である。
【００２４】
傘を閉じる際に、ろくろ２３は中棒１に沿って下方に移動し、傘柄２の端部において下向きに位置決めキー１０を押圧する。このとき、位置決めキー１０が緩衝材１１を軽く圧縮させるとともに、接続片１４と接続口１３との係接によって位置決めキー１０とろくろ２３の接続が実現される。傘を開きたい場合には、位置決めキー１０を押圧することで緩衝材１１を圧縮させ、位置決めキー１０とろくろ２３との係接を解除すれば、ろくろ２３が中棒１に沿って上方へと移動可能となる。
【００２５】
位置決めキー１０と傘柄２が確実に係合するように、前記位置決めキー１０の外側壁と傘柄２の内側壁との間には互いに組み合わされる係合片１５と凹溝１６が設けられている。前記係合片１５と凹溝１６のうち一方は位置決めキー１０の外側壁に設けられ、他方は傘柄２の内側壁に設けられる。位置決めキー１０が押圧される際に、前記係合片１５は凹溝１６内で移動可能となっている。本実施例において、位置決めキー１０の外側壁には係合片１５が成形されており、傘柄２の内側壁には凹溝１６が成形されている。前記係合片１５は凹溝１６に係入可能であり、位置決めキー１０が押圧される際に、係合片１５が凹溝１６内で移動可能となっている。
【００２６】
前記ろくろ２３と傘柄２の間には、係合及び係接を可能とする突起１７と凹口１８が設けられている。前記突起１７と凹口１８のうち一方はろくろ２３に、他方は傘柄２に設けられており、前記突起１７と凹口１８によってろくろ２３と傘柄２との確実な接続を実現可能である。
【００２７】
図５〜図８に示すように、傘には前記傘柄の組立構造が設けられており、更に、主傘骨１９、副傘骨２０、動作可能に中棒１に対して順に覆設される中ろくろ２１及びバネ２２を更に含む。前記主傘骨１９の端部は中棒１にヒンジ接続されている。副傘骨２０は一端が主傘骨１９にヒンジ接続されており、他端が中ろくろ２１にヒンジ接続されている。また、前記ろくろ２３は中棒１に覆設されている。副傘骨２０とろくろ２３の間には第２接続機構が設けられ、前記副傘骨２０とろくろ２３は第２接続機構によって取り外し可能に接続されている。中棒１には位置規制機構が設けられている。ろくろ２３が中棒１に沿って上向きに副傘骨２０まで移動し、これを持ち上げようとする場合、前記位置規制機構はろくろ２３の上方移動の継続を阻止可能である。また、位置規制機構による位置規制が解除されると、ろくろ２３は中棒１に沿って上方移動を継続し、前記第２接続機構が自動的に解除される。
【００２８】
前記位置規制機構は、中棒１に係接可能なＵ型覆設管２４である。Ｕ型覆設管２４が受ける外力がＵ型覆設管２４と中棒１との係接力を超えた場合、前記Ｕ型覆設管２４は中棒１から離脱可能となる。Ｕ型覆設管２４の材質としては、プラスチック、金属又はその他のものが可能である。装着時には、中棒１でＵ型覆設管２４を押圧することでＵ型覆設管２４が変形し、中棒１に係接される。これにより、傘の使用時にろくろ２３の上方への移動位置が規制される。また、取り外す際には、Ｕ型覆設管２４が受ける外力がＵ型覆設管２４と中棒１との係接力を超えた場合に、Ｕ型覆設管２４が中棒１から離脱する。
【００２９】
このほか、Ｕ型覆設管２４の外表面には複数のノッチ２５が凹陥するよう形成されている。これにより、Ｕ型覆設管２４が軽量化し、コストダウンがなされるほか、Ｕ型覆設管２４の表面摩擦を上昇させられるため、Ｕ型覆設管２４を中棒１から取り外しやすくなる。
【００３０】
位置規制機構はボルト・ナット構造としてもよく、ボルトを挿入することで位置規制を実現し、ボルトを取り外すことで位置規制を解除するよう、ボルトと組み合わされる孔を中棒１に設けてもよい。なお、いうまでもなく、前記位置規制機構は従来技術における他の既存の方式としてもよく、上記実施形態に限らない。
【００３１】
前記第２接続機構は、副傘骨２０にヒンジ接続される掛接部材２６と、ろくろ２３に設けられる開口下向きの掛接溝２７を含む。前記掛接部材２６は、取り外し可能な接続を実現するよう掛接溝２７に掛入可能である。位置規制機構による位置規制が解除されると、ろくろ２３が中棒１に沿って上方に移動することで、前記掛接部材２６は掛接溝２７から下方に離脱可能となる。
【００３２】
図６に示すように、掛接部材２６は鋼線を湾曲して形成してもよいし、プレス成型等の方式で作製してもよい。掛接溝２７は、ろくろ２３の上端周縁に設けられる開口下向きのフック構造である。掛接溝２７はろくろ２３と一体的に成型されており、傘の開閉時に掛接溝２７と掛接部材２６との掛合及び接続を実現する。
【００３３】
更に、同じく金属材質からなる中ろくろ２１とバネ２２が中棒１に沿って移動する過程で摩耗したり異音を生じたりすることのないよう、本実施例は、動作可能に中棒１に覆設される中継部材２８を更に含む。前記中継部材２８は中ろくろ２１とバネ２２の間に設けられており、中継部材２８の上端が中ろくろ２１に組み合わされるとともに、下端がバネ２２に組み合わされる。なお、前記中継部材２８の材質はプラスチックとすることが好ましい。
【００３４】
図８に示すように、本考案は、傘生地２９、傘生地２９の上端に設けられる石突３０、及び傘生地２９の下端に設けられる複数の露先３１を更に含む。前記石突３０は中棒１の上端に覆設可能であり、露先３１は主傘骨１９の端部に挿入可能である。
【００３５】
以上述べたように、本考案における前記傘の傘柄２、傘生地２９、ろくろ２３はいずれも取り外し可能な構造を用いているため、構造がシンプルで合理的であり、傘の各部材の着脱を迅速に実現可能である。また、傘を廃棄する際、使用者は異なる材質からなる傘の各部材を取り外してから別々のゴミ箱に投入可能となるため、ゴミの分別回収実現や環境理念の実践が容易となる。
【００３６】
傘の取り外し手順については、以下を参照すればよい。
１．まず、露先３１、傘生地２９、石突３０を主傘骨１９から取り外す。
２．Ｕ型覆設管２４を取り外す。
３．位置決めキー１０を押圧しながらろくろ２３を上方に移動させる。主傘骨１９の押し上げ位置に到達してからも上方移動を継続すると、掛接部材２６が掛接溝２７から下方に離脱する。
４．挿接部材４を取り出して中棒１を上方に引き抜き、位置決めキー１０を開口１２から取り出す。ろくろ２３、バネ２２、中継部材２８は滑らせるようにして中棒１から順に引き抜く。
【００３７】
以上、本考案の好ましい実施例について具体的に説明したが、いうまでもなく、本考案は上記実施形態とは別の形式を用いることも可能である。当業者が本考案の主旨を逸脱することなく実施する等価の変更又は相応の変動は、いずれも本考案の保護の範囲に属する。
【図１】
0003215749.tif 000003
【図２】
0003215749.tif 000004
【図３】
0003215749.tif 000005
【図４】
0003215749.tif 000006
【図５】
0003215749.tif 000007
【図６】
0003215749.tif 000008
【図７】
0003215749.tif 000009
【図８】
0003215749.tif 000010